(57)【要約】【課題】洗濯物の動き等により洗剤投入用カバーが循環水路カバーから外れるのを抑制し得る洗濯機を提供する。【解決手段】筐体９と、筐体９内に防振支持される水受け槽３と、水受け槽３内に配設される洗濯兼脱水槽１と、洗濯兼脱水槽底面中央部に配設されるパルセータ２と、洗濯兼脱水槽１側面に装着され、循環リント水路１４を形成する循環水路カバー１３と、循環水路カバー１３に開閉自在に装着される洗剤投入用カバー１６とを備え、洗剤投入用カバー１６側面には、循環水路カバー１３に係合して閉塞状態を維持するツメ部２２を外方に向かって突出形成し、循環水路カバー１３に、洗剤投入用カバー１６側面を外側に向けて広げる内倒れ防止リブ２５、２７、２８を設ける。【選択図】図１５
2018079062.tif 000002
【特許請求の範囲】
【請求項１】
筐体と、前記筐体内に防振支持される水受け槽と、前記水受け槽内に配設される洗濯兼脱水槽と、前記洗濯兼脱水槽底面中央部に配設されるパルセータと、前記洗濯兼脱水槽側面に装着され、前記洗濯兼脱水槽との間に循環リント水路を形成する循環水路カバーと、前記循環水路カバーに開閉自在に装着される洗剤投入用カバーとを備え、前記洗剤投入用カバー側面には、前記循環水路カバーに係合して閉塞状態を維持するツメ部を外方に向かって突出形成し、前記循環水路カバーに、前記洗剤投入用カバー側面を外側に向けて広げる内倒れ防止リブを設けた洗濯機。
【請求項２】
前記洗剤投入用カバーは、前記内倒れ防止リブに当接した後に、係合部に係合するよう設定した請求項１に記載の洗濯機。
【発明の詳細な説明】
【技術分野】
【０００１】
本発明は、洗濯兼脱水槽の側面に循環水路カバーを装着し、循環水路カバーに洗剤投入用カバーを設けた洗濯機に関するものである。
【背景技術】
【０００２】
従来、この種の洗濯機の構成は、図２０に示すような構成が一般的であった。以下に、図２０に基づいて、従来の洗濯機の構成について説明する。
【０００３】
図２０に従来の洗濯機の縦断面図を示す。図２０に示すように、洗濯兼脱水槽１には、底面にパルセータ２を回転自在に配置している。水受け槽３は、洗濯兼脱水槽１を収納している。モータ４は、ベルト５および減速機構兼クラッチ６を介して、洗濯兼脱水槽１及びパルセータ２を駆動する。排水弁７は、洗濯兼脱水槽１内の洗濯水を排水するためのものであり、給水弁８は、洗濯兼脱水槽１内に給水するものである。水受け槽３は、サスペンション１０を介して筐体９に防振支持されている。環状の流体バランサー１１は、脱水時の振動低減を目的として、洗濯兼脱水槽１の上部に設けられている。
【０００４】
洗濯兼脱水槽１内側面には、循環水路カバー１３が配設され、循環水路カバー１３と洗濯兼脱水槽１内側面との間に、循環リント水路１４が形成されている。循環水路カバー１３には、洗剤投入用カバー１６が開閉自在に設けられており、洗剤投入用カバー１６は、洗剤投入用カバー１６を閉じた第１の状態と、洗剤投入用カバー１６を開いた第２の状態との間を回動する。
【０００５】
上記の構成をもつ洗濯機を使用する際は、使用者は、初めに洗濯物を洗濯兼脱水槽１内部に投入する。次に、洗剤投入用カバー１６を開き、洗剤投入用カバー１６の内部に洗剤を投入する。以降は、洗濯機のプログラムにより、自動的に洗濯が実施される。
【０００６】
洗剤投入用カバー１６を開放して投入された洗剤は、洗濯兼脱水槽１と循環水路カバー１３間の循環リント水路１４を通り、パルセータ２下部の下側羽根１７に対応するポンプ室１８に落下する。洗濯が開始されると、制御装置１２により、給水弁８から洗濯兼脱水槽１に対して、給水が行われる。洗濯兼脱水槽１内の水位が所定水位に達すると、制御装置１２に従い、モータ４が駆動し、パルセータ２が回転することで、ポンプ室１８の間に投入された洗剤が溶解される。給水が進むと、ポンプ室１８内で溶解した洗剤液は、パルセータ２の駆動による下側羽根１７の回転から機械力を受け、ポンプ室１８から循環リント水路１４へと押し出され、循環水路カバー１３に形成された給水口（図示せず）から洗濯兼脱水槽１内に供給される。上記の行程により、洗濯兼脱水槽１の中の洗濯物と洗濯液が攪拌され、洗濯物の洗浄が行われる。
【先行技術文献】
【特許文献】
【０００７】
【特許文献１】特開２０１３−２４０４０８号公報
【発明の概要】
【発明が解決しようとする課題】
【０００８】
このような従来の洗濯機では、洗剤投入用カバー１６は、両側面に外側に向かってツメ部（図示せず）を突出形成し、ツメ部を循環水路カバー１３の内側側面に係止して閉塞状態を維持している。
【０００９】
しかしながら、機体動作時に洗濯兼脱水槽１内の洗濯物の動きおよび温度変化により、洗剤投入用カバー１６側面が洗剤投入用カバー１６の中央側に向かって倒れることがあった。洗剤投入用カバー１６側面が中央側に向かって倒れた場合、ツメ部の掛かりが少なくなり、洗濯物の動きにより洗剤投入用カバー１６が循環水路カバー１３から外れることがあった。
【００１０】
本発明は、上記従来の課題を解決するものであり、洗剤投入用カバーが外れるのを抑制することを目的とする。
【課題を解決するための手段】
【００１１】
上記目的を達成するために、本発明の洗濯機は、筐体と、前記筐体内に防振支持される水受け槽と、前記水受け槽内に配設される洗濯兼脱水槽と、前記洗濯兼脱水槽底面中央部に配設されるパルセータと、前記洗濯兼脱水槽側面に装着され、前記洗濯兼脱水槽との間に循環リント水路を形成する循環水路カバーと、前記循環水路カバーに開閉自在に装着される洗剤投入用カバーとを備え、前記洗剤投入用カバー側面には、前記循環水路カバーに係合して閉塞状態を維持するツメ部を外方に向かって突出形成し、前記循環水路カバーには、前記洗剤投入用カバー側面を外方に広げる内倒れ防止リブを設ける。
【００１２】
これにより、洗剤投入用カバーのツメ部の循環経路カバーへのかかりを保つことができるため、洗剤投入用カバーが循環水路カバーから外れるのを防ぐことができる。
【発明の効果】
【００１３】
本発明の洗濯機は、洗剤投入用カバーが外れるのを抑制することができる。
【図面の簡単な説明】
【００１４】
【図１】本発明の実施の形態１の洗濯機の洗濯兼脱水槽１の縦断面図
【図２】同洗濯機の洗剤投入用カバーを閉じた状態の要部斜視図
【図３】同洗濯機の洗剤投入用カバーを開いた状態の要部斜視図
【図４】同洗濯機の洗剤投入用カバーを外した状態の要部分解斜視図
【図５】同洗濯機の洗剤投入用カバーを開いた状態の要部断面図
【図６】同洗濯機の循環水路カバーの縦断面図
【図７】同洗濯機の洗剤投入用カバーの側面図
【図８】同洗濯機の洗剤投入用カバーの図７における＊−＊断面図
【図９】同洗濯機の洗剤投入用カバーの平面図
【図１０】同洗濯機の洗剤投入用カバーの図９における＊−＊矢視断面図
【図１１】同洗濯機の洗剤投入用カバーの図９における＊−＊矢視断面図
【図１２】同洗濯機の洗剤投入用カバーの閉塞状態の断面図
【図１３】同洗濯機の洗剤投入用カバーの閉塞状態の要部拡大断面図
【図１４】同洗濯機の洗剤投入用カバーの閉塞状態を説明する側面図
【図１５】同洗濯機の洗剤投入用カバーの閉塞状態を説明する断面図
【図１６】同洗濯機の洗剤投入用カバーの閉塞状態を説明する側面図
【図１７】同洗濯機の洗剤投入用カバーの閉塞状態を説明する断面図
【図１８】同洗濯機の洗剤投入用カバーの閉塞状態を説明する側面図
【図１９】同洗濯機の洗剤投入用カバーの閉塞状態を説明する断面図
【図２０】従来の洗濯機の縦断面図
【発明を実施するための形態】
【００１５】
第１の発明は、筐体と、前記筐体内に防振支持される水受け槽と、前記水受け槽内に配設される洗濯兼脱水槽と、前記洗濯兼脱水槽底面中央部に配設されるパルセータと、前記洗濯兼脱水槽側面に装着され、前記洗濯兼脱水槽との間に循環リント水路を形成する循環
水路カバーと、前記循環水路カバーに開閉自在に装着される洗剤投入用カバーとを備え、前記洗剤投入用カバー側面には、前記循環水路カバーに係合して閉塞状態を維持するツメ部を外方に向かって突出形成し、前記循環水路カバーに、前記洗剤投入用カバー側面を外方に広げる内倒れ防止リブを設けることにより、洗剤投入用カバーが循環水路カバーから外れるのを防ぐことができる。
【００１６】
第２の発明は、第１の発明の前記洗剤投入用カバーは、前記内倒れ防止リブに当接した後に、係合部に係合するよう設定することにより、洗剤投入用カバーの側面が循環経路カバーに動作を阻害されることなく、さらには作動力が移動量に対し、中間で凹状の特性、いわゆるタクティルフィードバック機構によるクリック感触を得ることができる。
【００１７】
以下、本発明の実施の形態について、図面を参照しながら説明する。なお、従来例と同一構成部品は、同一符号を付して説明を省略する。また、この実施の形態によって本発明が限定されるものではない。
【００１８】
（実施の形態１）
図１は、本発明の実施の形態１の洗濯機の洗濯兼脱水槽の縦断面図である。図２は、同洗濯機の洗剤投入用カバーを閉じた状態の要部斜視図である。図３は、同洗濯機の洗剤投入用カバーを開いた状態の要部斜視図である。図４は、同洗濯機の洗剤投入用カバーを外した状態の要部分解斜視図である。図５は、同洗濯機の洗剤投入用カバーを閉じた状態の洗濯兼脱水槽の要部断面図であり、開いた状態の洗剤投入用カバーを二点鎖線にて示している。図６は、同洗濯機の循環水路カバーの縦断面図である。
【００１９】
洗剤投入用カバー１６は、合成樹脂にて形成されて弾性変形可能に構成されており、両側面が先端になるに従って少許内側に向かう形状に形成されている。洗剤投入用カバー１６の上部には、洗剤投入用カバー１６を開放操作する取っ手２１が形成され、洗剤投入用カバー１６の両側面下部には、略円柱状の軸部１９が突出形成されている。洗剤投入用カバー１６の両側面には、循環水路カバー１３に係止して洗剤投入用カバー１６の開放を阻止するツメ部２２が形成されている。洗剤投入用カバー１６の両側面には、ツメ部２２の少許上方位置に切欠部２３が形成されており、ツメ部２２が形成された洗剤投入用カバー１６の側面が変形しやすくして、洗剤投入用カバー１６の開放操作性を向上させている。
【００２０】
循環水路カバー１３には、洗剤投入用カバー１６が循環水路カバー１３の開口側を覆うように装着される。循環水路カバー１３の内側面には、洗剤投入用カバー１６の軸部１９を支持する軸受部２０が設けられ、軸受部２０は、略Ｕ字状に形成され、洗剤投入用カバー１６の軸部１９を回動自在、且つ、係脱自在に支持している。軸受部２０の上方には、切欠が形成され、切欠によりツメ部２２が係合する係合部２４を構成している。
【００２１】
循環水路カバー１３には、軸受部２０と係合部２４の間に、第１の内倒れ防止リブ２５が形成されている。第１の内倒れ防止リブ２５は、循環水路カバー１３の内側面に近接して配設され、循環水路カバー１３の開口側の内側面と対向する側面に傾斜面２６を形成している。
【００２２】
循環水路カバー１３には、係合部２４の上方位置に、洗剤投入用カバー１６の切欠部２３に対向して第２の内倒れ防止リブ２７が形成されている。第２の内倒れ防止リブ２７は、係合部２４側の側面が係合部２４側に延設され、洗剤投入用カバー１６に重なるように形成され、洗剤投入用カバー１６の閉塞時に第２の内倒れ防止リブ２７の延設部にて洗剤投入用カバー１６が内側に変形するのを抑制している。
【００２３】
循環水路カバー１３の上端側には、第３の内倒れ防止リブ２８が形成されている。第３
の内倒れ防止リブ２８は、循環水路カバー１３の内側面に近接して配設され、循環水路カバー１３の開口側の内側面と対向する側面に傾斜面（図示せず）を形成している。
【００２４】
上記構成において、洗剤を投入する際には、洗剤投入用カバー１６の取っ手２１に指をかけ、洗剤投入用カバー１６の上部を洗濯兼脱水槽１内側に回動させる。ツメ部２２と係合部２４との係合が外れ、洗剤投入用カバー１６が開放され、使用者は、洗剤投入用カバー１６内に洗剤を投入する。
【００２５】
洗剤投入用カバー１６を閉塞する際には、洗剤投入用カバー１６を循環水路カバー１３側に回動し、洗剤投入用カバー１６両側面のツメ部２２を係合部２４に係合させる。
【００２６】
図１４は、洗剤投入用カバー１６の閉塞状態を説明する側面図、図１５は、洗剤投入用カバー１６の閉塞状態を説明する断面図であり、洗剤投入用カバー１６の両側面が第１の内倒れ防止リブ２５近傍に接触した状態を示している。
【００２７】
図１４および図１５において、洗剤投入用カバー１６は、両側面が少許内側に向かうように形成されており、洗剤投入用カバー１６は、第１の内倒れ防止リブ２５の先端側の傾斜面２６により両側面が外側に向かって押し広げられながら挿入される。
【００２８】
図１６は、洗剤投入用カバー１６の閉塞状態を説明する側面図、図１７は、洗剤投入用カバー１６の閉塞状態を説明する断面図であり、洗剤投入用カバー１６のツメ部２２が循環水路カバー１３に当接した状態を示している。
【００２９】
図１６および図１７において、洗剤投入用カバー１６は、第１の内倒れ防止リブ２５により押し広げられながら挿入され、ツメ部２２が循環水路カバー１３に当接する。洗剤投入用カバー１６のツメ部２２が形成された側面部分は、近傍に切欠部２３が形成されており、変形しやすく形成されているので、ツメ部２２が形成された側面部分が内側に向かって変形し、ツメ部２２が循環水路カバー１３を乗り越えやすくなされている。
【００３０】
図１８は、洗剤投入用カバー１６の閉塞状態を説明する側面図、図１９は、洗剤投入用カバー１６の閉塞状態を説明する断面図であり、洗剤投入用カバー１６の両側面が第２の内倒れ防止リブ２７に当接した状態を示している。
【００３１】
図１８および図１９において、洗剤投入用カバー１６を更に回動させると、洗剤投入用カバー１６の切欠部２３側の側面が第２の内倒れ防止リブ２７に当接し、洗剤投入用カバー１６の切欠部２３側の側面が押し広げられながら、挿入される。
【００３２】
洗剤投入用カバー１６を更に回動させると、洗剤投入用カバー１６の上部側の両側面が第３の内倒れ防止リブ２８に当接し、洗剤投入用カバー１６の上部側の両側面が押し広げられながら、挿入される。
【００３３】
洗剤投入用カバー１６がほぼ完全に循環水路カバー１３に重合した状態になると、ツメ部２２が係合部２４に係合し、洗剤投入用カバー１６が開放側へ回動するのを阻止する。この状態では、洗剤投入用カバー１６の両側壁は、第１の内倒れ防止リブ２５、第２の内倒れ防止リブ２７及び第３の内倒れ防止リブ２８に当接し、内側へ変形するのを阻止されるので、洗剤投入用カバー１６に何らかの力が加わっても容易に外れることはない。
【００３４】
洗剤投入用カバー１６は、第１の内倒れ防止リブ２５、第２の内倒れ防止リブ２７及び第３の内倒れ防止リブ２８に当接した後に、係合部２４に係合するよう設定している。これによって、洗剤投入用カバー１６の側面が循環水路カバー１３に動作を阻害されること
なく、さらには作動力が移動量に対し、中間で凹状の特性、いわゆるタクティルフィードバック機構によるクリック感触を得ることができる。
【産業上の利用可能性】
【００３５】
以上のように、本発明にかかる洗濯機は、洗剤投入用カバーが循環水路カバーから外れるのを防ぐことが可能となるので、家庭用の洗濯機や洗濯乾燥機等として有用である。
【符号の説明】
【００３６】
１  洗濯兼脱水槽
２  パルセータ
１３  循環水路カバー
１４  循環リント水路
１６  洗剤投入用カバー
１９  軸部
２０  軸受部
２１  取っ手
２２  ツメ部
２３  切欠部
２４  係合部
２５  第１の内倒れ防止リブ
２６  傾斜面
２７  第２の内倒れ防止リブ
２８  第３の内倒れ防止リブ
【図１】
2018079062.tif 000003
【図２】
2018079062.tif 000004
【図３】
2018079062.tif 000005
【図４】
2018079062.tif 000006
【図５】
2018079062.tif 000007
【図６】
2018079062.tif 000008
【図７】
2018079062.tif 000009
【図８】
2018079062.tif 000010
【図９】
2018079062.tif 000011
【図１０】
2018079062.tif 000012
【図１１】
2018079062.tif 000013
【図１２】
2018079062.tif 000014
【図１３】
2018079062.tif 000015
【図１４】
2018079062.tif 000016
【図１５】
2018079062.tif 000017
【図１６】
2018079062.tif 000018
【図１７】
2018079062.tif 000019
【図１８】
2018079062.tif 000020
【図１９】
2018079062.tif 000021
【図２０】
2018079062.tif 000022